(57)【要約】【課題】  データの記録処理と再生処理とを並行して実行する際に、記録処理および再生処理のデータ転送によりローカルバスが長時間に亘り占有されてしまうことを防止する。【解決手段】  音楽データの圧縮処理と再生処理とを並行して実行する際に、圧縮処理された圧縮音楽データを一時的に順次ＤＳＰ用ワークＲＡＭ１６に記憶し、このＤＳＰ用ワークＲＡＭ１６に記憶されている圧縮音楽データに基づいて再生処理を実行するとともに、１曲分の音楽データの圧縮処理が完了したときに、ＤＳＰ用ワークＲＡＭ１６に記憶されている圧縮音楽データをハードディスクドライブ１３に転送して格納するようにした。【選択図】      図３
2006277792.tif 000002
【特許請求の範囲】
【請求項１】
記録媒体に記録された記録データを再生処理しつつ、前記記録データを圧縮処理して圧縮データを記録装置に格納する情報記録再生装置において、
圧縮処理された圧縮データを一時的に順次記憶する一時記憶手段を設け、
前記一時記憶手段に記憶されている圧縮データに基づいて再生処理を実行するとともに、所定の条件が成立したときに、前記一時記憶手段に記憶されている圧縮データを前記記録装置に転送して格納する
ことを特徴とする情報記録再生装置。
【請求項２】
前記一時記憶手段に記憶されている圧縮データを前記記録装置に転送して格納した後、前記再生処理が完了した場合に、当該再生処理の対象だった圧縮データを前記一時記憶手段から消去する
ことを特徴とする請求項１に記載の情報記録再生装置。
【請求項３】
前記記録データが音楽データである場合に、１曲分の音楽データの圧縮データを生成したときに、前記一時記憶手段に記憶されている１曲分の圧縮データを前記記録装置に転送して格納する
ことを特徴とする請求項１または２に記載の情報記録再生装置。
【請求項４】
前記一時記憶手段の記憶容量に対して当該一時記憶手段に記憶されている圧縮データのデータ容量が所定の割合に達したときに、前記一時記憶手段に記憶されている圧縮データを前記記録装置に転送して格納する
ことを特徴とする請求項１に記載の情報記録再生装置。
【請求項５】
前記一時記憶手段に記憶されている圧縮データを前記記録装置に転送して格納した後、その時点で再生された分の圧縮データを前記一時記憶手段から消去する
ことを特徴とする請求項４に記載の情報記録再生装置。
【請求項６】
記録媒体に記録された記録データを再生処理しつつ、前記記録データを圧縮処理して圧縮データを記録装置に格納する情報記録再生方法において、
圧縮処理された圧縮データを一時的に順次一時記憶手段に記憶し、前記一時記憶手段に記憶されている圧縮データに基づいて再生処理を実行するとともに、所定の条件が成立したときに、前記一時記憶手段に記憶されている圧縮データを前記記録装置に転送して格納する
ことを特徴とする情報記録再生方法。
【発明の詳細な説明】
【技術分野】
【０００１】
本発明は、光ディスクなどの記録媒体に記録された例えば音楽データなどの記録データを再生しつつ、当該記録データを圧縮してハードディスクなどの記憶装置に記録する情報記録再生装置および情報記録再生方法に関する。
【背景技術】
【０００２】
従来、オーディオＣＤに記録された音楽データ（オーディオデータ）を再生する再生装置が広く知られている。また、オーディオＣＤから音楽データを抽出してハードディスクなどの記憶装置に記録するいわゆるリッピング機能を有した記録装置も知られている。
そして、近年では、音楽データの再生と並行して、オーディオＣＤから音楽データを抽出してハードディスクへ記録するオーディオ録音再生装置が知られている。この種のオーディオ録音再生装置では、音楽データの記録と再生とを並行して行う場合に、オーディオＣＤから音楽データを順次抽出してハードディスクに順次格納する（リッピング）とともに、当該ハードディスクから音楽データを順次読み出して再生するように構成されている（例えば、特許文献１参照）。
【特許文献１】特開２００３−５９１７２号公報
【発明の開示】
【発明が解決しようとする課題】
【０００３】
しかしながら、上記オーディオ録音再生装置の構成にあっては、オーディオ記録再生時にハードディスクの書込と読出とが並行して行われるため、ハードディスクへのデータアクセス頻度が非常に高くなり、この結果、オーディオ記録再生処理の間に亘り、ＣＤ読取部やオーディオ再生部、ハードディスクなどを接続するローカルバス（データバス）が音楽データの転送に占有されてしまうといった問題がある。
特に、ローカルバスを介してデータ転送を要する他の処理（例えば表示処理など）がオーディオ記録再生時に発生した場合、当該他の処理のためのデータ転送が遅滞し、当該他の処理の処理速度が低下するといった問題がある。また、この問題を回避すべく、ローカルバスを介したデータ転送をオーディオ記録再生処理よりも他の処理を優先させると、ハードディスクから音楽データ再生部への音楽データの転送速度が低下し、再生音声が途切れてしまうといった問題もある。
【０００４】
本発明は、上述した事情に鑑みてなされたものであり、データの記録処理と再生処理とを並行して実行する際に、記録処理および再生処理のデータ転送によりローカルバスが長時間に亘り占有されてしまうことを防止することのできる情報記録再生装置および情報記録再生方法を提供することを目的とする。
【課題を解決するための手段】
【０００５】
上記目的を達成するために、本発明は、記録媒体に記録された記録データを再生処理しつつ、前記記録データを圧縮処理して圧縮データを記録装置に格納する情報記録再生装置において、圧縮処理された圧縮データを一時的に順次記憶する一時記憶手段を設け、前記一時記憶手段に記憶されている圧縮データに基づいて再生処理を実行するとともに、所定の条件が成立したときに、前記一時記憶手段に記憶されている圧縮データを前記記録装置に転送して格納することを特徴とする。
【０００６】
また本発明は、上記発明において、前記一時記憶手段に記憶されている圧縮データを前記記録装置に転送して格納した後、前記再生処理が完了した場合に、当該再生処理の対象だった圧縮データを前記一時記憶手段から消去することを特徴とする。
【０００７】
また本発明は、上記発明において、前記記録データが音楽データである場合に、１曲分の音楽データの圧縮データを生成したときに、前記一時記憶手段に記憶されている１曲分の圧縮データを前記記録装置に転送して格納することを特徴とする。
【０００８】
また本発明は、上記発明において、前記一時記憶手段の記憶容量に対して当該一時記憶手段に記憶されている圧縮データのデータ容量が所定の割合に達したときに、前記一時記憶手段に記憶されている圧縮データを前記記録装置に転送して格納することを特徴とする。
【０００９】
また本発明は、上記発明において、前記一時記憶手段に記憶されている圧縮データを前記記録装置に転送して格納した後、その時点で再生された分の圧縮データを前記一時記憶手段から消去することを特徴とする。
【００１０】
また上記目的を解決するために、本発明は、記録媒体に記録された記録データを再生処理しつつ、前記記録データを圧縮処理して圧縮データを記録装置に格納する情報記録再生方法において、圧縮処理された圧縮データを一時的に順次一時記憶手段に記憶し、前記一時記憶手段に記憶されている圧縮データに基づいて再生処理を実行するとともに、所定の条件が成立したときに、前記一時記憶手段に記憶されている圧縮データを前記記録装置に転送して格納することを特徴とする。
【発明の効果】
【００１１】
本発明によれば、圧縮処理された圧縮データを一時的に順次一時記憶手段に記憶し、当該一時記憶手段に記憶されている圧縮データに基づいて再生処理を実行するとともに、所定の条件が成立したときに、前記一時記憶手段に記憶されている圧縮データを記録装置に転送して格納する構成とし、再生処理には一時記憶手段の圧縮データを使用し、また、一時記憶手段の圧縮データを所定のタイミングで一度に記録装置に転送するようにしたため、ローカルバスが長時間の占有されてしまうことが防止される。
【発明を実施するための最良の形態】
【００１２】
以下、図面を参照しつつ本発明の実施の形態について説明する。
図１は本実施の形態に係る情報記録再生装置１の構成を示す図である。この情報記録再生装置１は、オーディオＣＤに記録された音楽データ（オーディオデータ、音声データ）を読み取り、当該音楽データを再生する機能の他に、音楽データの再生と並行して音楽データを圧縮してハードディスクドライブ（記憶装置）に格納する機能を有するものである。
図１において、ＣＰＵ１０は本情報記録再生装置１の各部の制御や各種演算処理を実行するものである。ワークＲＡＭ１１は各種データを一時的に記憶するものであり、ＣＰＵ１０とローカルバス２を介して接続され、ＣＰＵ１０のワークエリアとして用いられる。
【００１３】
ハードディスクドライブ１３は本情報記録再生装置１の記憶装置を構成するものであり、バス変換部１２を介してローカルバス２に接続されている。バス変換部１２は、ローカルバス２と、ハードディスクドライブ１３の接続インターフェース（接続バス）との間に介在して、それぞれの間でのデータ転送を可能にするものである。
ＣＤデータ読取部１４はオーディオＣＤ（図示せず）に記録されている音楽データを読出し、ＤＳＰ（Digital Signal Processor）部１５に順次出力するものである。
【００１４】
ＤＳＰ部１５は、ローカルバス２に接続され、ＣＰＵ１０の制御の下、音楽データの圧縮処理および再生処理を実行するものであり、圧縮音声データ再生処理部１５Ａと、音声圧縮処理部１５Ｂとを備えている。
音声圧縮処理部１５Ｂは、ＣＤデータ読取部１４から順次出力された音楽データを所定のコーデック（符号化方式）に基づいて順次エンコード処理（圧縮処理）して圧縮音声データを生成するものである。音声データの符号化方式としては、可逆／非可逆に拘らず任意の圧縮方式を用いることが可能である。
【００１５】
圧縮音声データ再生処理部１５Ａは、音声圧縮処理部１５Ｂにて圧縮された圧縮音声データをデコード処理（伸長処理）して伸長データを生成しつつ、当該伸長データに基づいて音楽再生データ（デジタル信号）を生成し、Ｄ／Ａ変換器１７に順次出力するものである。音声データの圧縮方式として可逆圧縮方式が用いられている場合には、伸長データはオーディオＣＤから読み取られた音楽データと等価なデータとなる。
Ｄ／Ａ変換器１７は、圧縮音声データ再生処理部１５Ａから順次受け取った音楽再生データをデジタル／アナログ変換して、スピーカ１８に順次出力するものであり、これにより、圧縮された音声データの再生が行われる。
【００１６】
ここで、本実施の形態では、ＤＳＰ部１５のワークエリアとしてＤＳＰ用ワークＲＡＭ１６を設ける構成とし、このＤＳＰ用ワークＲＡＭ１６には音声圧縮処理部１５Ｂから出力された圧縮音声データがハードディスクドライブ１３に格納される前に一時的に格納される。また、音声データの圧縮および記録と並行して当該音声データを再生する場合には、圧縮音声データ再生処理部１５ＡがＤＳＰ用ワークＲＡＭ１６に一時的に格納されている圧縮音楽データを順次読み出して再生することとしている。
そして、ＤＳＰ用ワークＲＡＭ１６に一時的に格納されている圧縮音声データは、１曲分の音楽データの圧縮処理が完了するなどの所定の条件が成立した場合に、ローカルバス２を介してワークＲＡＭ１１に格納し、そして、バス変換部１２を介してハードディスクドライブ１３に格納される。以下、かかる動作についてより詳細に説明する。
【００１７】
図２は音楽データの記録再生時の記録再生処理を示すフローチャートであり、図３は記録再生時のデータの流れを模式的に示す図である。記録再生処理は、図示せぬ操作子が操作されるなどして音楽データの記録再生が指示された場合にＣＰＵ１０によって実行されるものであり、図２に示すように、音楽記録処理と音楽再生処理とを有し、それぞれの処理が互いに同期して実行される。
【００１８】
詳述すると、ＣＰＵ１０は、先ず、圧縮音楽データの生成を開始すべくＣＤデータ読取部１４を制御してオーディオＣＤから記録すべき音楽データを順次読み取り音声圧縮処理部１５Ｂに出力する（図３中矢印Ｃ１）とともに、音声圧縮処理部１５Ｂを制御して音声データをエンコード（圧縮処理）し圧縮音声データを順次生成する（ステップＳＡ１）。このとき、ＣＰＵ１０は、音声圧縮処理部１５Ｂを制御して、順次生成される圧縮音声データをＤＳＰ用ワークＲＡＭ１６に順次出力し（図３中矢印Ｃ２）、圧縮音声データをＤＳＰ用ワークＲＡＭ１６に一時的に格納する（ステップＳＡ２）。そして、ＣＰＵ１０は、１曲分の音楽データの読み取り・圧縮処理が完了したか否かを判断し（ステップＳＡ３）、未だ完了してない場合は（ステップＳＡ３：ＮＯ）、処理手順をステップＳＡ１に戻して音楽データの読み取りと圧縮処理を継続する。
【００１９】
このようにしてＤＳＰ用ワークＲＡＭ１６への圧縮音声データの格納が開始された後、圧縮音声データの格納と並行して当該圧縮音声データの再生を開始する。すなわち、ＣＰＵ１０は、圧縮音声データ再生処理部１５Ａを制御して、ＤＳＰ用ワークＲＡＭ１６から再生すべき音楽圧縮データを順次読出し（ステップＳＢ１、図３中矢印Ｃ３）、読み出した音楽圧縮データを順次デコード（伸長処理）し、Ｄ／Ａ変換器１７を介してスピーカ１８に出力して（図３中矢印Ｃ４）音楽の再生を開始する（ステップＳＢ２）。そして、ＣＰＵ１０は、１曲分の音楽の再生が完了したか否かを判断し（ステップＳＢ３）、未だ完了してない場合は（ステップＳＢ３：ＮＯ）、処理手順をステップＳＢ１に戻して音楽の再生を継続する。
【００２０】
ここで、圧縮音声データの再生速度が圧縮処理速度（ＤＳＰ用ワークＲＡＭ１６への格納（転送）速度）を上回ると、再生音声が途切れてしまうため、音声データの圧縮処理速度は少なくとも圧縮音声データの再生速度よりも高速に行われる。したがって、１曲分の音楽データの読み取り・圧縮処理は、この音楽の再生が終了するよりも前に完了することになる。
【００２１】
すなわち、ＣＰＵ１０は、１曲分の音楽データの読み取り・圧縮処理が完了した場合には（ステップＳＡ３：ＹＥＳ）、ＤＳＰ用ワークＲＡＭ１６に一時的に格納した１曲分の圧縮音楽データをローカルバス２を介してワークＲＡＭ１１に順次転送することで、当該ワークＲＡＭ１１に圧縮音楽データのコピーを一時的に生成し（図３中矢印Ｃ５）、次いで、ワークＲＡＭ１１からローカルバス２を介してハードディスクドライブ１３に圧縮音楽データを転送する（ステップＳＡ４、図３中矢印Ｃ６）。このとき、音楽の再生は、ＤＳＰ用ワークＲＡＭ１６に格納されている圧縮音楽データに基づいて継続して実行される。そして、１曲分の音楽再生の終了に伴って、ＤＳＰ用ワークＲＡＭ１６に格納されている圧縮音楽データが破棄される。
【００２２】
以上のようにして１曲分の音楽データの圧縮処理およびハードディスクドライブ１３への格納が終了すると、ＣＰＵ１０は、次に記録すべき音楽があるか否かを判断し（ステップＳＡ５）、記録すべき音楽がある場合には（ステップＳＡ５：ＹＥＳ）、処理手順をステップＳＡ１に戻して音楽データの読み取り・圧縮処理を開始し、また、記録すべき音楽がない場合には（ステップＳＡ５：ＮＯ）、音楽記録処理を終了する。
また、ＣＰＵ１０は、１曲分の音楽の再生が終了した後、次に再生すべき音楽があるか否かを判断し（ステップＳＢ４）、再生すべき音楽がある場合には（ステップＳＢ４：ＹＥＳ）、処理手順をステップＳＢ１に戻して音楽データのデコード・再生処理を開始し、また、再生すべき音楽がない場合には（ステップＳＢ４：ＮＯ）、音楽再生処理を終了する。
【００２３】
以上説明したように、本実施の形態によれば、音楽の記録と再生とを並行して行う場合に、圧縮処理された圧縮音楽データを一時的に順次ＤＳＰ用ワークＲＡＭ１６に記憶し、当該ＤＳＰ用ワークＲＡＭ１６に記憶されている圧縮音楽データに基づいて再生処理を実行するとともに、１曲分の音楽データの圧縮処理が完了したときに、ＤＳＰ用ワークＲＡＭ１６に記憶されている圧縮音楽データをハードディスクドライブ１３に転送して格納する構成としたため、再生処理時にローカルバス２が使用されることがなく、また、ハードディスクドライブ１３へのローカルバス２を介した圧縮音楽データの転送が一度に行われるため、ローカルバス２が長時間の占有されてしまうことが防止される。
【００２４】
この結果、音楽の記録再生時に、ローカルバス２を介したデータ転送を要する他の処理が発生した場合であっても、その処理のデータ転送が阻害されることがなく、当該処理を速やかに実行することができる。
また、本実施の形態によれば、高速動作するＣＰＵや広帯域かつ高速データ転送可能なローカルバス２を用いる必要がないため、装置の低コスト化を図ることができる。
【００２５】
なお、上述した実施の形態は、あくまでも本発明の一態様を示すものであり、本発明の範囲内で任意に変形および応用が可能である。
（変形例１）
上述した実施の形態では、１曲分の音楽データの圧縮処理が完了した時点で、圧縮音楽データをＤＳＰ用ワークＲＡＭ１６からハードディスクドライブ１３へ転送する構成について例示したが、これに限らない。すなわち、１曲分の音楽データの圧縮処理が完了した後、ローカルバス２が他の処理に使用されていないタイミング、或いは、圧縮音楽データを転送しても他の処理のためのデータ転送帯域が確保可能なタイミングで圧縮音楽データをＤＳＰ用ワークＲＡＭ１６からハードディスクドライブ１３へ転送する構成としても良い。
【００２６】
具体的には、音楽データの読み取り・圧縮処理を音楽再生速度に対して例えば４倍速で行われる場合には、演奏時間の残り４分の３の時点で圧縮処理が終了することになる。そして、演奏時間の残り４分の３の時間の間、すなわち、演奏が終了するまでの間に（次の音楽データの読み取り・圧縮処理が開始するまでの間に）、ローカルバス２が他の処理に使用されていないタイミング、或いは、圧縮音楽データを転送しても他の処理のためのデータ転送帯域が確保可能なタイミングで圧縮音楽データをＤＳＰ用ワークＲＡＭ１６からハードディスクドライブ１３へ転送する。
【００２７】
この構成によれば、ローカルバス２が他の処理のために使用されていないタイミング、或いは、他の処理のために十分な転送帯域が確保可能なタイミングに合わせて圧縮音楽データをＤＳＰ用ワークＲＡＭ１６からハードディスクドライブ１３へ転送されるため、例えば表示処理などの他の処理のためのハードディスクドライブ１３へのデータアクセスが阻害されることがなく、他の処理が速やかに実行される。
特に、本変形例によれば、圧縮処理速度が音楽再生速度に対して高速になるほど、圧縮処理が終了してから音楽再生が終了するまでの時間、すなわち、ハードディスクドライブ１３に圧縮音楽データを転送可能期間が長くなる。したがって、音楽記録再生処理と並行して複数の処理が実行されている場合であっても、圧縮音楽データを転送可能期間内で、それら複数の処理がローカルバス２を使用しないタイミングが発生し易くなり、そのタイミングで圧縮音楽データを転送することで、他の処理の実行を阻害することなく、ハードディスクドライブ１３に圧縮音楽データを転送することができる。
【００２８】
（変形例２）
上述した実施の形態および変形例では、１曲分の音楽データの圧縮処理が終了した後に、圧縮音楽データをＤＳＰ用ワークＲＡＭ１６からハードディスクドライブ１３へ転送する構成について例示したが、これに限らない。
詳述すると、圧縮音楽データは演奏時間の長い音楽ほど大きくなるため、長時間に亘る音楽の圧縮音楽データを全てＤＳＰ用ワークＲＡＭ１６に一時的に格納する構成とすると、ＤＳＰ用ワークＲＡＭ１６のメモリ容量が肥大化しコストが高くなってしまう。
そこで、ＤＳＰ用ワークＲＡＭ１６のメモリ容量に対する圧縮音楽データの格納容量が所定容量に至った場合には、圧縮処理（エンコード）を中断し、圧縮音楽データをハードディスクドライブ１３に転送し、また、その時点で再生が終了している分の圧縮音楽データをＤＳＰ用ワークＲＡＭ１６から破棄した後、音楽データの圧縮処理を再開するといったことを繰り返し実行する構成としても良い。
この構成によれば、ＤＳＰ用ワークＲＡＭ１６として大容量のメモリを用いる必要がないため、低コスト化を図ることが可能となる。
【００２９】
（変形例３）
上述した実施の形態および各変形例にて例示した情報記録再生装置１は、例えば、カーオーディオ装置やステレオ装置、ポータブルオーディオ装置といった、オーディオ再生機能を有する一般的なオーディオ装置として構成することが可能であり、また、オーディオ再生機能を有する例えばカーナビゲーション装置などの他の電子機器として構成することも可能である。
特に、オーディオ再生機能を有するカーナビゲーション装置に本発明を適用することで、音楽データを記録再生しているときに、地図のスクロール処理や経路計算処理、音声認識処理などの経路案内に関する処理が発生したとしても、それらの処理に要するデータ転送のための帯域をローカルバス２に確保することができ、経路案内に関する処理が遅滞することを確実に防止することができる。
【図面の簡単な説明】
【００３０】
【図１】本発明の実施の形態に係る情報記録再生装置の構成を示す図である。
【図２】情報記録再生動作時の処理手順を示すフローチャートである。
【図３】情報記録再生動作時のデータの流れを模式的に示す図である。
【符号の説明】
【００３１】
１  情報記録再生装置
２  ローカルバス
１０  ＣＰＵ
１３  ハードディスクドライブ（記録装置）
１４  ＣＤデータ読取部
１５  ＤＳＰ部
１５Ａ  圧縮音声データ再生処理部
１５Ｂ  音声圧縮処理部
１６  ＤＳＰ用ワークＲＡＭ（一時記憶手段）
【図１】
2006277792.tif 000003
【図２】
2006277792.tif 000004
【図３】
2006277792.tif 000005